(57)【要約】【課題】取り扱いや携行に便利で複数種類の化学成分を迅速に検出できる化学成分検出器を提供すること。【解決手段】検出窓と表示窓が設けられている本体ケーシングと、本体ケーシングの検出窓内に設けられているセンサチップと、本体ケーシング内に設けられるとともに、バイオセンサチップに電気的に接続されているプロセッサと、本体ケーシング内に設けられるとともに、プロセッサに電気的に接続されているバッテリと、本体ケーシング内に設けられ、しかも本体ケーシングの表示窓に対応するとともに、プロセッサに電気的に接続されているインジケータと、を備えている。【選択図】図１
0003134499.tif 000002
【実用新案登録請求の範囲】
【請求項１】
化学成分検出器であって、
中空の長柱状体であり、一端には検出窓が設けられ、更に表示窓が設けられている本体ケーシングと、
本体ケーシングの検出窓内に設けられているセンサチップと、
本体ケーシング内に設けられるとともに、バイオセンサチップに電気的に接続されているプロセッサと、
本体ケーシング内に設けられるとともに、プロセッサに電気的に接続されているバッテリと、
本体ケーシング内に設けられ、しかも本体ケーシングの表示窓に対応するとともに、プロセッサに電気的に接続されているインジケータとを備えていることを特徴とする、
化学成分検出器。
【請求項２】
インジケータが複数のＬＥＤランプを備えていることを特徴とする、請求項１に記載の化学成分検出器。
【請求項３】
インジケータが４つのＬＥＤランプを備えていることを特徴とする、請求項２に記載の化学成分検出器。
【請求項４】
本体ケーシングが長方形であり、しかも上部係合体と、下部係合体とを備え、上下係合体が互いに係合することを特徴とする、請求項３に記載の化学成分検出器。
【請求項５】
検出窓および表示窓がそれぞれ上部係合体の両端に設けられていることを特徴とする、請求項４に記載の化学成分検出器。
【請求項６】
下部係合体の底部にはプロセッサホルダ、バッテリホルダおよびインジケータホルダが設けられ、プロセッサはプロセッサホルダ上に配置され、バッテリはバッテリホルダ上に配置され、インジケータはインジケータホルダに配置されていることを特徴とする、請求項５に記載の化学成分検出器。
【考案の詳細な説明】
【技術分野】
【０００１】
本考案は検出器に関し、とりわけ取り扱いが便利で複数種類の化学成分を迅速に検出できる長所を備えた化学成分検出器に関するものである。
【背景技術】
【０００２】
従来の化学成分の検出分析では、大変な手間をかけてサンプルを採集して、そして実験室に送り各種の検査機器で分析実験を行った後に、始めてサンプル中に含まれる化学成分の濃度または薬剤の量が判明する。
この方式では化学成分の正確な濃度を得ることができるが、その取り扱いが煩雑で手間取ってしまう。
例えば飲料中にアルコールまたはＦＭ２等のような睡眠薬が含まれていないかを検出し、さらに食品中に過濃度の農薬または例えば安息香酸等の防腐剤が含まれていないかを検出するといった場合には迅速に分析結果が得られないことが多い。
そのため、現場で速やかに結果を得たい場合には従来の化学分析方法を用いることができない。
また、現在、試験紙または試薬の滴下によって、特定の化学成分を検出できるものもあるが、試験紙または試薬の滴下による方法では、単一種類の化学成分の検出ができるだけで使用範囲に限界があり、複数種類の化学成分の検出に対応することができない。
【０００３】
昨今では、例えば酵素チップといったセンサチップの進歩により上記の不具合を徐々に克服してきている。
センサチップは通常シリコンチップを基材として、酵素などのバイオプローブをチップの表面に装着して、化学成分の検出を行うものである。
センサチップは小型で、反応が速く、しかも大量の生物化学情報を同時に並行して分析できるため、生物化学処理、分析、試験、新薬開発および環境監視等の用途に適用されている。
【考案の開示】
【考案が解決しようとする課題】
【０００４】
本考案は従来の化学分析方法または試験紙、試薬の滴下の試験方法にあっては、取り扱いが煩雑であり、または複数種類の化学成分の検出ができないなどの問題があることに鑑みてなされたものである。
本考案の目的とするところは、バイオセンサチップを用いて、取り扱い・携行に便利で複数種類の化学成分の化学成分を迅速に検出できる長所を備えた化学成分検出器を提供することにある。
【課題を解決するための手段】
【０００５】
上記目的を達成するために、本考案の化学成分検出器は下記のものを含む。
化学成分検出器であって、
中空の長柱状体であり、一端には検出窓が設けられ、更に表示窓が設けられている本体ケーシングと、
本体ケーシングの検出窓内に設けられているセンサチップと、
本体ケーシング内に設けられるとともに、バイオセンサチップに電気的に接続されているプロセッサと、
本体ケーシング内に設けられるとともに、プロセッサに電気的に接続されているバッテリと、
本体ケーシング内に設けられ、しかも本体ケーシングの表示窓に対応するとともに、プロセッサに電気的に接続されているインジケータと、を備えている。
【０００６】
好ましくは、インジケータは複数のＬＥＤランプを備えている。
【０００７】
好ましくは、インジケータは４つのＬＥＤランプを備えている。
【０００８】
好ましくは、本体ケーシングは長方形であり、しかも上部係合体と、下部係合体とを備え、上下係合体が互いに係合する。
【０００９】
好ましくは、検出窓および表示窓がそれぞれ上部係合体の両端に設けられている。
【００１０】
好ましくは、下部係合体の底部にはプロセッサホルダ、バッテリホルダおよびインジケータホルダが設けられ、プロセッサはプロセッサホルダ上に配置され、バッテリはバッテリホルダ上に配置され、インジケータはインジケータホルダに配置されている。
【考案の効果】
【００１１】
本考案が達成できる具体的な効果は次のとおりである。
（１）本考案では、化学成分検出器としてセンサチップを用いているため、本考案は小型で、使用者の携行に便利である。
（２）本考案ではセンサチップを用いて複数種類の化学成分を迅速に検出できるため、取り扱いが非常に簡便となり、被検査物中に過度な量の化学成分が含まれていないかを迅速に表示できるので、使用者にとって安全でない飲料または食品を排除できる。
【考案を実施するための最良の形態】
【００１２】
図１および図２を参照して本考案の好ましい実施例について説明する。
本考案に係る化学成分検出器は、本体ケーシング（１０）と、本体ケーシング（１０）内に設けられているセンサチップ（２０）と、センサチップ（２０）に電気的に接続されているプロセッサ（３０）と、プロセッサ（３０）に電気的に接続されているバッテリ（４０）と、プロセッサ（３０）に電気的に接続されているインジケータ（５０）とを備えている。
【００１３】
本体ケーシング（１０）は中空の長柱状体であり、本実施例においては、本体ケーシング（１０）は長方形である。
本体ケーシング（１０）のうちの一端には検出窓（１１１）が設けられている。
本体ケーシング（１０）には表示窓（１１２）が更に設けられている。
しかも上部係合体（１１）と下部係合体（１２）とを備えている。
上下係合体（１１）（１２）は互いに係合している。
検出窓（１１１）および表示窓（１１２）はそれぞれ上部係合体（１１）の両端に設けられている。
下部係合体（１２）の底部にはプロセッサホルダ（１２１）、バッテリホルダ（１２２）およびインジケータホルダ（１２３）が設けられている。
【００１４】
センサチップ（２０）は本体ケーシング（１０）の上部係合体（１１）に設けられている検出窓（１１１）中に設けられる。
センサチップ（２０）は被検査物の化学成分に接触して情報を生成するものであり、例えばＦＭ２（Ｆｌｕｎｉｔｒａｚｅｐａｍ）といった睡眠薬、アルコール、例えば安息香酸、デヒドロ酢酸、ソルビン酸、サリチル酸メチル、エチルバニリン、プロピルパラベン、パラオキシ安息香酸ブチルといった防腐剤および農薬などを包括する複数種類の化学成分を検出できるものである。
本実施例においては、センサチップ（２０）はＦＭ２、アルコール、安息香酸および農薬を検出でき。またセンサチップ（２０）は電気泳動測定法または蛍光測定法で化学成分を検出することができる。
【００１５】
プロセッサ（３０）は本体ケーシング（１０）の下部係合体（１２）に設けられているプロセッサホルダ（１２１）上に配置されるとともに、センサチップ（２０）に電気的に接続されている。
センサチップ（２０）は被検査物の化学成分に接触して生成された信号をプロセッサ（３０）に送るとともに、プロセッサ（３０）により検出結果が判定されて次の信号が生成される。
【００１６】
バッテリ（４０）は本体ケーシング（１０）の下部係合体（１２）に設けられているバッテリホルダ（１２２）上に配置されるとともに、プロセッサ（３０）に電気的に接続され、プロセッサ（３０）の動作に必要な電力を提供している。
【００１７】
インジケータ（５０）は本体ケーシング（１０）の下部係合体（１２）に設けられているインジケータホルダ（１２３）上に配置されるとともに本体ケーシング（１０）の検出窓（１１１）に対応している。
インジケータ（５０）はプロセッサ（３０）に電気的に接続され、プロセッサ（３０）が生成した信号はインジケータ（５０）に送られて、インジケータ（５０）により検出結果を表示する。
本実施例においては、インジケータ（５０）は４つのＬＥＤランプ（５１）を備えており、検出された化学成分が許容分量を超えている場合には、対応するＬＥＤランプが点灯して、使用者に対して表示または警告を行う。
【００１８】
本実施例に係る化学成分検出器を使用する場合には、センサチップ（２０）を例えば飲料や食品といった被検査物に接触させる。
センサチップ（２０）は被検査物中にＦＭ２またはアルコールが含まれていないか、そしてその中に過度な量の防腐剤または農薬が含まれていないかを検出する。
センサチップ（２０）が反応して生成した信号は、プロセッサ（３０）にて分析処理される。
その後、分析結果信号をインジケータ（５０）に送り、ＬＥＤランプ（５１）の点灯と消灯とにより、被検査物中に過度な量の化学成分が含まれているかいないかが表示される。
したがって、使用者はＬＥＤランプ（５１）による分析結果の表示に基づいて、被検査物の安全性を確認できるので、安全でない飲料または食品を排除することができる。
この好ましい実施例では化学成分の検出器としてセンサチップ（２０）を使用しているので、装置が小型となることから、例えば箸または筆記用具などの一般的な日用品と組合わせることができて、使用者の携行に便利であるとともに、複数種類の化学成分を迅速に検出できることから、取り扱いが非常に簡便となる。
【図面の簡単な説明】
【００１９】
【図１】本考案の実施例に係る化学成分検出器の立体分解図である。
【図２】本考案に係る化学成分検出器の立体図である。
【符号の説明】
【００２０】
（１０）本体ケーシング
（１１）上部係合体
（１１１）検出窓
（１１２）表示窓
（１２）下部係合体
（１２１）プロセッサホルダ
（１２２）バッテリホルダ
（１２３）インジケータホルダ
（２０）センサチップ
（３０）プロセッサ
（４０）バッテリ
（５０）インジケータ
（５１）ＬＥＤランプ
【図１】
0003134499.tif 000003
【図２】
0003134499.tif 000004